(57)【要約】  消耗品とともに包装することもでき、購入時に消耗品に香りを与えるのに用いることもできる芳香送出装置が開示される。実施形態の１つでは、芳香送出装置は、複数の使用者選択可能芳香要素を含む。各芳香要素は、異なる香りを有することができる。芳香送出装置が消耗品とともに包装されると、使用者は、次に、製品又は製品が用いられる環境の何れかに香りを与えるために芳香要素の１つを選択することができる。例えば、消耗品は、パーソナル衛生製品又はティシュ製品を含むことができる。別の実施形態では、芳香送出装置は、購入時に消耗品に香りを注入するように構成することができる。【選択図】図１
2009521375.tif 000002
【特許請求の範囲】
【請求項１】
消耗品と、
前記消耗品を囲む包装材と、
前記包装材内に収容された芳香送出装置と、
を備え、
前記芳香送出装置は、各々が異なる香りを有する複数の使用者選択可能な芳香要素を含み、前記消耗品の使用者が前記消耗品に又は前記消耗品が配置される環境に香りを放出するために前記芳香要素の少なくとも１つを選択して活性化することができる、
ことを特徴とする包装製品。
【請求項２】
前記芳香送出装置は前記芳香要素が配置される基層を含み、前記芳香送出装置は更に、前記基層上に配置され、前記芳香要素の１つ又はそれ以上を選択的に露出するために前記基層に対して移動可能であるカバーを含むことを特徴とする請求項１に記載の包装製品。
【請求項３】
前記基層が、ディスクの形状であり、前記カバーが、開口部を定めるとともに、前記開口部を通して前記芳香要素の１つを露出するために前記ディスクに対して移動可能であることを特徴とする請求項２に記載の包装製品。
【請求項４】
前記芳香送出装置が、少なくとも３つの芳香要素を含むことを特徴とする請求項１、請求項２又は請求項３の何れか１項に記載の包装製品。
【請求項５】
前記消耗品がティシュペーパーであり、前記包装材がティシュペーパーディスペンサであり、前記芳香送出装置が前記ティシュペーパーディスペンサの外側表面に取り付けられるか、或いは、前記消耗品が予め加湿した拭き材であり、前記包装材がディスペンサであり、前記芳香送出装置が前記ディスペンサの外側表面に取り付けられるか、或いは、前記消耗品が予め加湿した拭き材であり、前記包装材がディスペンサであり、前記芳香送出装置が前記ディスペンサの内側表面に取り付けられることを特徴とする請求項１又は請求項４の何れか１項に記載の包装製品。
【請求項６】
前記芳香送出装置は前記芳香要素がその上に配置される基層を含み、前記芳香要素の各々が香気透過性カバー材料で個別に密封され、使用者が該カバーを除去してその下の芳香要素を露出させることができることを特徴とする請求項１、請求項４又は請求項５の何れか１項に記載の包装製品。
【請求項７】
前記芳香要素は、脆弱密封を各々が含む密封パウチに収められることを特徴とする請求項１、請求項４又は請求項５の何れか１項に記載の包装製品。
【請求項８】
前記消耗品が、女性用ケア製品、大人用失禁用製品、トレーニングパンツ、又はおむつであることを特徴とする請求項１、請求項２、請求項３、請求項４、請求項６又は請求項７の何れか１項に記載の包装製品。
【請求項９】
前記芳香要素が、芳香剤を含むマイクロカプセル、芳香剤を混合したワックス、又は芳香剤を含む活性炭であることを特徴とする請求項１〜請求項７又は請求項８の何れか１項に記載の包装製品。
【請求項１０】
前記芳香送出装置が、前記芳香要素を加熱して香りを放出させるために前記使用者選択可能芳香要素と作動的に関連させた加熱装置を更に含むことを特徴とする請求項１、請求項２、請求項３、請求項４、請求項５、請求項６、請求項７、請求項８又は請求項９の何れか１項に記載の包装製品。
【請求項１１】
前記消耗品が、使用者に移行するように構成された制汗性又は脱臭組成物を含む制汗性又は脱臭製品であり、前記芳香送出装置は、芳香要素を前記脱臭又は制汗性組成物に付与するものであることを特徴とする請求項１、請求項４、請求項７又は請求項９の何れか１項に記載の包装製品。
【請求項１２】
前記芳香要素が紐状部材からなり、前記紐状部材の各々は、選択した芳香を放つための選択した芳香生成組成物を含み、前記紐状部材は、前記消耗品の前記包装材又は前記製品自身に取り付けられ、選択した芳香が放出されないようにするコーティング組成物によって封入されており、前記紐状部材を前記包装材から又は前記製品から段階的に引っ張ったとき前記コーティング組成物が破れ目を形成して前記紐状部材を露出し、前記選択した芳香を放出するように構成されたことを特徴とする請求項１、請求項４、請求項５、請求項８又は請求項９の何れか１項に記載の包装製品。
【請求項１３】
前記コーティング組成物が、樹脂、糖、デンプン、又はその混合物を含むことを特徴とする請求項１２に記載の包装製品。
【請求項１４】
少なくとも１つの紐状部材が、前記紐状部材の選択した芳香に調和するデザイン要素を含む前記消耗品の包装材に取り付けられることを特徴とする請求項１２又は請求項１３に記載の包装製品。
【請求項１５】
前記芳香送出装置の前記芳香要素は、各々が選択した芳香を放つための芳香生成組成物を含み、使用者が剥離して選択した芳香を露出させるように構成された積み重ねられた剥離可能基層を含むことを特徴とする請求項１、請求項４、請求項５、請求項８又は請求項９の何れか１項に記載の包装製品。
【請求項１６】
前記芳香送出装置が、前記消耗品の前記包装材に取り付けられることを特徴とする請求項１５に記載の包装製品。
【請求項１７】
前記芳香送出装置が前記消耗品自身に取り付けられることを特徴とする請求項１５に記載の包装製品。
【請求項１８】
前記芳香要素が、前記芳香生成組成物を含む接着剤組成物でコーティングされた基層を含むことを特徴とする請求項１５、請求項１６又は請求項１７の何れか１項に記載の包装製品。
【請求項１９】
消耗品に香りを与えるための方法であって、
小売店で消耗品を選択する段階と、
購入時に、使用者が選択した芳香組成物を前記消耗品に付加する段階と、
を含むことを特徴とする方法。
【請求項２０】
前記芳香組成物が、前記小売店にある芳香送出装置により前記消耗品に付加されることを特徴とする請求項１９に記載の方法。
【請求項２１】
前記芳香送出装置が、前記芳香送出装置に正しい製品カテゴリが装入されたことを確認するために前記消耗品を走査するように構成されていることを特徴とする請求項２０に記載の方法。
【請求項２２】
前記芳香送出装置が、前記芳香組成物を前記消耗品に注入又はスプレーすることを特徴とする請求項２０又は請求項２１に記載の方法。
【請求項２３】
カスタマイズ芳香を製品に送出するための方法であって、
芳香送出装置に顧客が識別可能な標識を入力する段階と、
前記芳香送出装置に芳香の選択を入力する段階と、
前記製品を前記芳香送出装置内に配置する段階と、
使用者が選択した芳香を前記製品に付与する段階と、
を含むことを特徴とする方法。
【請求項２４】
前記使用者が選択した芳香を前記製品に付与する前に、前記芳香送出装置に製品の種類を入力する段階を更に含むことを特徴とする請求項２３に記載の方法。
【請求項２５】
前記芳香送出装置が、特定の顧客が選択した既選択芳香を記憶し、前記顧客が識別されたとき、前記既選択にアクセスすることができるようにされたことを特徴とする請求項２３又は請求項２４に記載の方法。
【請求項２６】
前記芳香送出装置が、既選択芳香を記憶し、前記芳香を製品により分類することを特徴とする請求項２５に記載の方法。
【請求項２７】
前記芳香送出装置に前記選択した芳香の強度を入力する段階を更に含むことを特徴とする請求項２３、請求項２４、請求項２５又は請求項２６の何れか１項に記載の方法。
【発明の詳細な説明】
【背景技術】
【０００１】
エアフレッシュナーのような芳香発生装置は、重要な市場を表す。エアフレッシュナーは、例えば、不快臭を回避又は遮蔽するために、芳香剤を環境にゆっくりと又は素早く放出することが意図される。エアフレッシュナーは、あらゆる異なる種類、形、及び大きさで販売されている。エアフレッシュナーの例には、ろうそく、香りポプリ、液体スプレー等が含まれる。エアフレッシュナーの他の例には、１つ又はそれ以上の芳香剤成分を含むゲル様マトリクスを含む装置が含まれる。実施形態のいくつかでは、これらの装置は、香りを放出するのに役立つようにコンセントに差し込むことが意図される。
【０００２】
香気生成装置の更に別の実施形態は、米国特許第４，５５６，５３９号に開示されている。５３９号特許では、ディスクをプレーヤーに挿入すると、芳香性蒸気が環境に排出されるディスク演奏芳香発生装置が開示されている。実施形態の１つでは、使用者は、室内を心地良い芳香又はムードを変える芳香で満たすために芳香性ディスクのライブラリから選択することができる。
【０００３】
当技術分野では種々の異なる種類のエアフレッシュナーが公知であるが、エアフレッシュナー及び他の芳香送出装置を消耗品に組み合わせて組み入れることが必要とされている。消耗品とは、本明細書で用いる場合、一般に、消費者により定期的に購入されて交換される製品をいう。消耗品には、例えば、トイレットペーパー及びティシュペーパーのようなティシュ製品、パーソナル衛生製品、おむつ及び関連補助製品、ペーパータオル等を含むことができる。更に詳細には、現在、消耗品が用いられる環境に芳香を送出するか製品自身に芳香を送出するかの何れかのために消耗品とともに包装することができる芳香送出装置が必要とされている。また、消耗品とともに包装することができ、消費者が個人的に選択することができる複数の芳香を含む芳香送出装置も必要とされている。
【０００４】
【特許文献１】米国特許第４，５５６，５３９号公報
【特許文献２】米国特許第５，６１６，３３７号公報
【特許文献３】米国特許第６，７０５，５４１号公報
【特許文献４】国際特許第ＷＯ  ０２／４２１７６Ａ１号公報
【特許文献５】米国特許第５，４４３  ０５６号公報
【特許文献６】米国特許第６，３９２，３１３号公報
【特許文献７】米国特許第６，２８０，７５１号公報
【特許文献８】米国特許第２００４００７１７５７号公報
【特許文献９】米国特許第６，４７９，４５６号公報
【特許文献１０】欧州特許ＥＰ  Ａ１０４５１８８９号公報
【特許文献１１】欧州特許ＥＰ  Ａ１０４３３１３２号公報
【特許文献１２】国際特許ＷＯ  ９３／２５１８５号公報
【特許文献１３】国際特許ＷＯ  ９８／０２０４４号公報
【特許文献１４】米国特許第６，１７２，０３７号公報
【特許文献１５】米国特許第４，１８６，７４３号公報
【特許文献１６】米国特許第６，１８９，８１０号公報
【特許文献１７】米国特許第６，４６４，１１０号公報
【発明の開示】
【０００５】
本開示事項は、一般に、芳香送出装置とともに包装することができる消耗品に関する。芳香送出装置は、製品自身に香りを供給するため又は製品が用いられる環境に香りを供給するために用いることができる。実施形態の１つでは、芳香送出装置は、使用者が望むとおりに芳香又は香りを選択することができるように製品の包装材に組み入れることができる使用者選択可能な芳香を含むことができる。
【０００６】
特定の実施形態の１つでは、本開示事項は、消耗品及び消耗品を囲む包装材を含む包装製品に関する。芳香送出装置は、包装材内に収めることができる。芳香送出装置は、各々異なる香りを有する複数の使用者選択可能な芳香要素を含むことができる。芳香送出装置は、香りを消耗品中又は消耗品が配置される環境中に放出するために、消耗品の使用者が芳香要素の少なくとも１つを選択して活性化することができるように構成することができる。
【０００７】
例えば実施形態の１つでは、芳香送出装置は、芳香要素が配置される基層を含むことができる。芳香送出装置は、基層を覆って位置決めされるカバーを更に含むことができる。カバーは、芳香要素の１つ又はそれ以上を選択的に露出させるために、基層に対して移動可能とすることができる。例えば、特定の実施形態の１つでは、基層は、ディスクの形状とすることができ、芳香要素は、ディスクの周りに等しい間隔を置いて配置された三角形の形状を有するものとすることができる。カバーは、開口部を通して芳香要素を露出するためにディスクに対して移動可能とすることができる。
【０００８】
芳香送出装置は、少なくとも２つの芳香要素、少なくとも３つの芳香要素、少なくとも５つの芳香要素、又は少なくとも８つの芳香要素のような複数の芳香要素を含むことができる。実施形態の１つでは、更に別の香りを生成させるために異なる芳香要素を組み合わせることができる。
【０００９】
芳香送出装置とともに包装される消耗品は、特定の用途及び望む結果に応じて種々異なるものとすることができる。例えば、実施形態の１つでは、消耗品は、ディスペンサに収容されたティシュペーパーを含むことができる。芳香送出装置は、ディスペンサの外側表面又は内側表面に取り付けることもでき、取り付けずに製品のディスペンサ又は包装材の中に配置することも、ディスペンサ又は包装材の内側の製品に取り付けることもできる。別の実施形態では、消耗品は、ディスペンサに収容される予め加湿した拭き材を含むことができる。芳香送出装置は、芳香を空中に放出させるためにディスペンサの外側表面に取り付けることができる。或いは、芳香送出装置は、ディスペンサを開けるときに芳香を放出させるため又は香りを直接製品に送出するために、ディスペンサの内側表面に取り付けることができる。芳香は、直接空中に放出することもでき、最初に製品内に拡散又は流入してそれに香りを与えるようにすることもできる。
【００１０】
本発明の更に別の実施形態では、消耗品は、女性用ケア製品、大人用失禁用製品、トレーニングパンツ、又はおむつとすることができる。これらの実施形態では、芳香送出装置は、直接製品に取り付けられるように構成することもでき、芳香要素を製品に小出しするように構成することもできる。
【００１１】
更に別の実施形態では、芳香送出装置は、芳香要素を配置する基層を含むことができる。各芳香要素は、香気不透過性のカバー材料により個別に密封することができ、それを使用者が除去してその下の芳香要素を露出させるようにすることができる。更に別の実施形態では、芳香送出装置は、複数の密封パウチを含むことができる。各密封パウチは、パウチを開けて芳香要素を露出させるために脆弱な密封を含むことができる。本発明により芳香を送出するようにすることができる脆弱な密封を用いるシステムの例は、１９９７年４月１日にＫａｓｉａｎｏｖｉｔｚに付与された米国特許第５，６１６，３３７号の「単位用量皮膚ケア包装」、２００４年３月１６日にＳｃｈｕｅｈｒｅｒとＲｅｎｎｅｒに付与された米国特許第６，７０５，５４１号の「芳香剤ディスペンサ」、２００２年３月３０日にＶａｌｏｉｓらにより公開された国際特許第ＷＯ  ０２／４２１７６Ａ１号「試料流体製品ディスペンサ」に開示されている。
【００１２】
芳香要素は、香気又は香りを放出することができるあらゆる適切な材料又は組成物を含むことができる。例えば、種々の実施形態では、芳香要素には、芳香剤、芳香剤と混合したワックス、芳香剤を含む活性炭等を含むマイクロカプセルとすることができる。
【００１３】
実施形態の１つでは、芳香送出装置は、加熱装置と作動可能に関連させて配置することができる。加熱装置を用いて１つ又はそれ以上の芳香要素を加熱し、空中に芳香を容易に放出させることができる。熱は、電池、特にＰｏｗｅｒＰａｐｅｒ，Ｉｎｃ．（イスラエル国エイナット）製のもの等の薄膜又は印刷電池等の電源で駆動される電気（抵抗性）の加熱、水存在下でのマグネシウム−鉄合金と塩の反応により生成され、１９９５年８月２２日にＳｍｉｔｈらに付与された米国特許第５，４４３  ０５６号の「発熱加熱装置」に記載された可撓性カバー材料内に閉じ込めたもののような発熱化学反応、又は炭素−鉄混合物のような他の公知の発熱系により送出されるようにすることができる。また、熱は、燃料の酸化又はマイクロ燃料電池（例えば、本明細書に引用により組み入れたＨｏｃｋａｄａｙに付与された米国特許第６，３９２，３１３号を参照）のような燃料電池の燃料の酸化により生成される電力によっても送出することができる。
【００１４】
別の実施形態では、芳香送出装置の芳香要素は、紐状部材を含む。各紐状部材は、選択した芳香を放つ組成物を生成する選択した芳香を含むことができる。消耗品の包装材又は消耗品自身には紐状部材を取り付けることができ、包装材又は製品に取り付けられる場合には、選択した芳香が放出されないようにするコーティング組成物で封入することができる。コーティング組成物は、脆弱なものとし、紐状部材を包装材又は製品から離れる方向に段階的に引っ張ったとき、破れ目を形成して紐状部材を露出し、選択した芳香を放出するように構成することができる。
【００１５】
例えば、紐状部材を覆うコーティング組成物は、紐状部材を包装材又は製品に取り付けることができるが、包装材又は製品に対して引っ張ることにより選択した芳香の放出を可能にするあらゆる適切な樹脂又は接着剤を含むことができる。実施形態の１つでは、コーティング組成物は、糖、デンプン、又はその混合物とすることができる。
【００１６】
特定の実施形態の１つでは、紐状部材は、消耗品のための包装材に取り付けることができ、包装材は、紐状部材の選択した芳香と合わせたデザイン要素を含むことができる。例えば、包装材は、紐状部材が放つ芳香に一致する花及び／又は果物を表示することができる。実施形態の１つでは、紐状部材は、デザイン要素に組み込むことができる。例えば、実施形態の１つでは、紐状部材は、デザイン要素の一部を形成するようにらせん状に巻いて包装材に取り付けることができる。
【００１７】
本開示事項の更に別の実施形態では、芳香送出装置の芳香要素は、互いに積層された剥離可能基層を含む。各剥離可能基層は、選択した芳香を放つ芳香生成組成物を含むことができる。剥離可能基層は、選択した芳香を露出するために、互いに剥離されるように構成される。
例えば、実施形態の１つでは、基層は、芳香生成組成物を含む接着剤組成物でコーティングされた紙又はプラスチック材料とすることができる。例えば、芳香生成組成物は、上部層が芳香要素から剥離されると破裂するマイクロカプセルとすることができる。
【００１８】
芳香送出装置は、失禁用製品及び拭き製品だけでなく、他の種類のパーソナル衛生製品とともに包装することができる。例えば、実施形態の１つでは、芳香送出装置は、制汗製品又は脱臭製品とともに包装することができる。この実施形態では、製品は、組成物に香りを与えるための芳香要素で処理することができる制汗又は脱臭用の組成物を含むことができる。例えば、組成物は、液体又は固体を含むことができ、芳香要素は、組成物に付加される液体を含むことができる。
【００１９】
また、芳香送出装置は、支持又は緩和するために関節又は筋肉痛のある身体の領域に巻き付けることができる使い捨て又は再使用可能な伸張可能ラップに組み入れることもでき、該ラップには、発熱反応による熱源を備えるサーマルラップが含まれる。
また、芳香送出装置は、モップ、ダスター、スポンジ、湿潤拭き材、使い捨てタオル等のような清掃製品とともに包装するかそれに組み合わせることができる。
【００２０】
製品に組み合わされた芳香送出装置は、芳香を加熱するために、電池、薄膜電池又は印刷電池、又は燃料電池のような電力源を含むことができる。或いは、送出装置は、電源を含まないものとすることもでき、電力を用いないようにすることもできる。
本開示事項の更に別の実施形態では、使用者選択可能な香りは、購入時に消耗品に組み入れることができる。この実施形態による方法は、小売店で消耗品を選択する段階と、購入時に、使用者が選択した芳香組成物を消耗品に付加する段階と、を含む。
【００２１】
芳香組成物は、小売店にある芳香送出装置を用いて製品に付加することができる。例えば、芳香送出装置は、正しい製品カテゴリが装置に配置されたことを確認するために製品を走査するスキャナを含むことができる。例えば、芳香送出装置が特定のブランドのティシュペーパーと用いられることになっている場合には、装置は、例えば、正しい製品が処理されたことを確認するために箱のバーコードを走査することができる。次に、芳香送出装置は、芳香組成物を製品に注入するためのある種類の注入システムを有するものとすることができる。例えば、芳香送出装置は、ティシュペーパー、トイレットペーパー、ペーパータオル等に香りを与えるのに良好に適合するものとすることができる。
【００２２】
本開示事項の他の特徴及び側面は、以下に極めて詳細に論じられる。
当業者に対する最良の形態を含む本発明の完全な権能を付与する開示事項には、添付の図面の参照を含んでおり、これを本明細書の残りの部分で更に詳細に述べる。
本明細書及び図面で参照記号を繰り返し用いる場合には、本発明の同じ又は類似の特徴又は要素を表すものとする。
【発明を実施するための最良の形態】
【００２３】
ここでの記載は、例示的な実施形態の説明でしかなく、本発明の広範な側面を制限することを意図しないことを当業者は理解すべきである。
【００２４】
一般に、本開示事項は、複数の使用者選択可能な芳香を含む芳香送出装置を消耗品の製品包装材に組み入れることに関する。以下に記載するように、芳香送出装置を組み入れると、包装材に新しい機能が付与され、製品によりもたらされる利点についての使用者の制御が増強される。消耗品の包装材に組み入れられる芳香送出装置は、使用者が選択した芳香又は香りを放つように構成することができ、これを用いて、製品自身に香りを与えるか製品が用いられる環境に香りを与えるかの何れかを行うことができる。実施形態の１つでは、芳香送出装置は、一度に１つの芳香が選択されるように構成される。しかし、他の実施形態では、２つ又はそれ以上の芳香を組み合わせることができ、例えば、基本の芳香に付加的な使用者が選択した芳香を加えることができる。
【００２５】
本開示事項の教示は、あらゆる適切な消耗品と組み合わせて用いることができる。芳香送出装置の恩恵を受けることができる消耗品には、例えば、ティシュペーパー、トイレットペーパー及びペーパータオルのようなティシュ製品が含まれる。芳香送出装置と組み合わせて用いることができる他の製品には、おむつ及び関連補助製品、女性用衛生製品、大人用失禁用製品、小児用トレーニングパンツ等が含まれる。更に別の実施形態では、芳香送出装置は、制汗製品及び脱臭製品のような他の衛生製品とともに包装することができる。
【００２６】
用いられる芳香は、当技術分野で公知のあらゆる適切な芳香とすることができる。例えば、芳香は、１つ又はそれ以上の精油を含むことができる。精油は、植物組織（例えば、花、樹皮、葉、種子、根、その他）から得られる高度に発香性の液体成分であり、多くの場合、蒸気蒸留又は他の処理により得られ、典型的には例えば１つ又はそれ以上のテルペン、エステル、アルデヒド、ケトン、アルコール、フェノール及び／又は酸化物の混合物を含む。通常用いられる精油には、アンゲリカ根、アニス、バルサム（ペルー又は他のバルサム）、バジル、月桂樹、蜜蝋、ベンゾイン、ベルガモット、ボワドローズ、ボロニア、カヤプト、ショウズク、キャロットシード、セダーウッド（アトラス又はバージニア）、カモミール（ジャーマン又はローマン）、桂皮、シトロネラ、サルビアセージ、クローブバッド、コリアンダー、ヒノキ、ディル、エレミ、ユーカリ、ウイキョウ、ファーニードル、フランキンセンス、ガルバヌム、ゼラニウム、ジンジャー、グレープフルーツ、ヘリクリサム、ヒソップ、イモーテル、ジャスミン、ジュニパーベリー、カヌカ、ラベンダー、ラバンジン、レモン、レモングラス、ライム、リンデンブロッサム、マンダリン、マヌカ、マジョラム、メイチャン、ミルラ、ミルテ、ネロリ、ニアウリ、ナツメグ、オークモス、オリバナム、オレンジ（ビター又はスイート）、オレガノ、パルマローザ、パセリ、パチョリ、ペッパー、ブラック、ペパーミント、プチグレン、パイン（スコッチ、ホワイト、又はシベリアン）、ラベンサラ、ローズ、ローズマリー、ローズウッド、白檀、スペアミント、スパイクナード、トウヒ、タゲテス、タンジェリン、ティーツリー（コモン、レモン、又はニュージーランド）、タイム、タバコ、ツベローズ、バニラ、ベチバー、バイオレットリーフ、ヤロウ、イランイラン等から誘導されるものが含まれる。本発明に用いることができると考えられる精油及び他のハーブ抽出物に関する詳しい情報は、２００１年８月２８日にＦｌｅｔｃｈｅｒとＨａｒｇｒｅａｖｅｓに付与された米国特許第６，２８０，７５１号及び２００４年４月１５日に公開されたＤ．Ｒｏｌｆによる米国特許第２００４００７１７５７号に論じられており、この両方は、引用により本明細書に組み入れられる。
【００２７】
精油に加え、本発明に用いられる芳香剤には、アブソルート、レジノイド、樹脂等のような他の天然物又は抽出物、及び合成組成物のほか、合成及び天然芳香剤の混合物も含むことができる。合成芳香剤成分には、例として、飽和及び不飽和化合物、脂肪族、脂環式、複素環式及び芳香族化合物を含む炭化水素、アルコール、アルデヒド、ケトンエーテル、酸、エステル、アセタール、ケタール、亜硝酸塩、フェノール等を含むことができる。このような香料成分の例は、Ｄ．Ｈ．ＰｙｂｕｓとＣ．Ｓ．Ｓｅｌｌの「芳香剤の化学」（シュプリンガー出版（Ｓｐｒｉｎｇｅｒ  Ｖｅｒｌａｇ）１９９９年）に見られる。
【００２８】
実施形態の１つでは、芳香剤は、抗菌性組成物として働くことのような、付加的な機能を有する。抗菌性芳香剤組成物の例は、例えば、２００２年１１月１２日にＨｏｌｚｎｅｒに付与された米国特許第６，４７９，４５６号の「抗菌性香料組成物」に開示されており、これは引用により本明細書に組み入れられる。他の例は、欧州特許ＥＰ  Ａ１０４５１８８９号、欧州特許ＥＰ  Ａ１０４３３１３２号、国際特許ＷＯ  ９３／２５１８５号、及び国際特許ＷＯ  ９８／０２０４４号に見ることができる。このような芳香剤は、Ｈｏｌｚｎｅｒ（米国特許第６，４７９，４５６号）の「寒天表面コーティング試験」（ＡＳＣＴ）で測定すると、少なくとも８０％の抗菌活性を示すことができる。
【００２９】
得られる芳香の寿命を延ばすために、芳香剤は、長期間持続放出させるために安定剤と組み合わせることができる。安定剤及び付随する制御放出法の例は、２００１年１月９日にＰｅｒｒｉｎｇらに付与された米国特許第６，１７２，０３７号の「ポリビニルピロリドン及びヒドロキシプロピルセルロースを含む香料固定剤」に論じられており、これは、引用により本明細書に組み入れられる。
【００３０】
図１を参照すると、消耗品１２と組み合わせた芳香送出装置１０の実施形態の１つが示されている。この実施形態では、消耗品は、ティシュペーパーの積み重ねを含む。ティシュペーパーは、ディスペンサ１４内に収容される。図示するように、ディスペンサ１４は、ディスペンサに収容されるティシュペーパーを露出するためにディスペンサから除去することができる穿孔パネル１６を含む。この実施形態では、芳香送出装置１０は、芳香又は香りをティシュペーパーが用いられる環境に与えるためにディスペンサ１４の外側表面に装着される。しかし、他の実施形態では、芳香送出装置１０は、ディスペンサ１４の内側表面に装着することができることも理解すべきである。
【００３１】
図２を参照すると、芳香送出装置１０が更に詳細に示される。芳香送出装置１０は、この実施形態では、複数の芳香要素を含む基層１８を含む。詳細には、基層１８は、５つの三角形芳香要素２０、２２、２４、２６及び２８を含むディスクの形状である。本開示事項によれば、各芳香要素は、異なる香りを放つように意図される。更に、望むならば、芳香要素の１つは、香気が無いように構成することができる。
【００３２】
芳香送出装置１０は、更に、開口部３２を定める外側カバー３０を含む。外側カバー３０は、基層１８に対して可動である（或いは、基層が外側カバー３０に対して可動である）。可能な移動の範囲には、軸線の周りの回転、直線平行移動（例えば横方向滑動）、又は更に複雑な動きを含むことができる。外側カバー３０は、芳香要素を遮蔽し、開口部３２の下に位置決めされる芳香要素を除いて芳香要素が香りを放たないようにするプラスチックのような香気不透過性材料で作ることができる。
【００３３】
最初に消耗品１２とともに包装されるとき、開口部３２は、あらゆる適切な材料で覆うことができる。例えば、開口部３２を覆ってホイルテープのようなプラスチックフィルムを配置することができ、それには、フィルムを除去して装置を活性化させるためのタブが含まれる。フィルムが除去されると、使用者は、使用者が選択した芳香要素が開口部３２の下に位置決めされるまでディスク様基層１８又は外側カバー３０を回転させることができる。開口部３２に位置決めされた状態では、芳香要素が露出し、空中に香りを放つことができる。
【００３４】
いくつかの場合では、芳香を活性化させるために（例えば放出させるために）付加的な段階が必要となる。この段階としては、保護剥離ストリップを除去する段階、芳香剤の密封ポケットを破裂させる段階、熱又は光を与える段階、（例えば、シクロデキストリン又はゼオライト内に結合された芳香剤を放出するために）材料を濡らす段階、その他がある。
【００３５】
芳香送出装置１０に含むことができる香りは、特定の実施形態及び望まれる形態に応じて種々異なるものとすることができる。例えば、芳香要素は、特定の花又は花の群の芳香剤、特定の果物又は果物の組合せの芳香剤、特定のスパイスの芳香剤等を放つものとすることができる。この点に関して、芳香要素２０、２２、２４、２６及び２８は、あらゆる適切な芳香生成組成物で作ることができる。例えば、単なる例であるが、芳香要素は、芳香剤を含むマイクロカプセル、芳香剤と混合したワックス、ゼオライト、シクロデキストリン、又は芳香剤を含む活性炭を含むことができる。
【００３６】
更に別の実施形態では、芳香要素は、芳香療法に組み合わされる香りを放出するように構成することができる。例えば、芳香要素は、ユーカリの香り、チョコレートの香り、又はハーブ又は花の香りを放つように構成することができる。
【００３７】
ディスク様基層１８は、芳香要素を受け取ることができるあらゆる適切な材料で作ることができる。例えば、実施形態の１つでは、基層１８は、板紙のような紙を含むことができる。芳香要素２０、２２、２４、２６及び２８は、基層１８の表面に塗布することもでき、基層に含浸させることもできる。
【００３８】
図１に示すように、芳香送出装置は、ディスペンサ１４の外側表面に装着することができる。一般に、芳香送出装置１０は、両面テープ又は接着剤材料を用いて外側表面に接着することができる。或いは、機械的取り付け装置を用いて芳香送出装置１０をディスペンサ１４に装着することもできる。更に別の実施形態では、ディスペンサ１４の壁は、図２に示すように、実際に基層１８として働くようにすることができる。例えば、この実施形態では、芳香要素は、ディスペンサの壁に印刷し、それから外側カバー３０で覆うことができる。
【００３９】
図７を参照すると、芳香送出装置と組み合わせた消耗品の別の実施形態が示される。図７では、同様の参照番号は、同じ又は同様の要素を示すのに用いられている。
【００４０】
図７に示すように、ティシュペーパーの箱のような消耗品１２が、芳香送出装置１０と組み合わせて示される。図１と同様に、芳香送出装置１０は、複数の芳香要素２０、２２、２４、２６及び２８を含む基層１８を含む。基層１８を覆って外側カバー３０を配置する。使用者が芳香要素の１つを選択することができるように、外側カバー３０は開口部３２を含む。詳細には、基層１８は、開口部３２に対して基層を移動するのに用いることができるタブ４０を含む。
【００４１】
図７に示す実施形態では、芳香送出装置１０は、更に、使用者が選択した芳香要素を加熱するための加熱装置３４を含む。芳香要素に熱を加えることにより、開口部３２を通して大量の香りを放出させることができる。
【００４２】
実施形態の１つでは、加熱装置３４は、電源３８と組み合わせて配置された加熱要素３６を含む。電源３８は、ＰｏｗｅｒＰａｐｅｒから市販される印刷電池のような薄くて可撓性のある電池又はダイレクトメタノールマイクロ燃料電池のような燃料電池を含むことができる。加熱要素３６は、図７に示すようなコイルを含むこともでき、フィルム、不織ウェブ又は紙ウェブのような可撓性基層に塗布することができるポリマーベースのエレクトロニクス又は電導性印刷インクで形成することもできる。加熱装置３４は、加熱装置を活性化するために電源３８と加熱要素３６との間の回路を閉じるある種類の切り替え装置を含むことができる。
【００４３】
図１及び図７に示す実施形態では、ティシュディスペンサ１４は、芳香送出装置１０上に含まれる芳香要素に一致する種々の図案及び画像を含むことができる。例えば、芳香送出装置１０上の芳香要素が花の芳香剤を含む場合には、ディスペンサ１４は、放出される香りを補強するのに役立つ花の絵画又は画像を含むことができる。図案に加えて、芳香要素と一致させるのに色を用いることもできる。例えば、芳香送出装置が柑橘類又は果物の香りを含む場合には、ティシュディスペンサは、使用者が選択した香りを補足する明るい色を含むことができる。
【００４４】
図３を参照すると、芳香送出装置と組み合わせた消耗品の別の実施形態が示される。この実施形態では、消耗品は、ディスペンサ４４に収容された複数の予め加湿した拭き材４２を含む。この実施形態では、ディスペンサ４４は、予め加湿した拭き材がそれを通して小出しされる開口部４８を覆う蓋４６を含む。
【００４５】
図示するように、芳香送出装置５０は、蓋４６の内側表面に装着される。このようにして、芳香送出装置により香りを放出し、香りを予め加湿した拭き材４２に直接与えるかディスペンサ４４を開けたときに香りを与えるようにすることができる。
【００４６】
芳香送出装置５０は図４に更に詳細に示される。この実施形態では、芳香送出装置５０は、芳香要素５４のような複数の芳香要素を含む基層５２を含む。詳細には、この実施形態では、基層５２は、６つの異なる芳香要素を含む。各芳香要素は、カバー５６のような対応するカバーで覆われる。図示するように、カバー５６は、その下の芳香要素５４を覆ったり、露出したりするように芳香送出装置５０内に滑動可能に装着される。このようにして、使用者は、その下の芳香要素を露出させるためにカバー５６の１つ又はそれ以上を開けることができる。
【００４７】
図１及び図７に示す実施形態では、芳香送出装置は、一般に、消耗品が用いられる環境に香りを与えることが意図される。しかし、他の実施形態では、香りを消耗品自身に直接与えるために芳香送出装置を含むことが望ましい可能性がある。例えば、図５を参照すると、芳香送出装置６０の別の実施形態が示される。この実施形態では、芳香送出装置６０は、各々が対応する芳香要素を保持するように構成された複数の容器６２を含む。例えば、図５に示される実施形態では、容器６２は、可撓性フィルム材料で作られる。望むならば、容器の全ては、図５に示すように一緒に取り付けることもでき、或いは別々にすることもできる。各容器は、脆弱密封６６により容器の本体から分離されるタブ部分６４を更に含む。このようにして、使用者は、タブ部分６４を引っ張ることにより容器の１つ又はそれ以上を開けることができる。
【００４８】
容器内に含まれる芳香要素は、液体組成物又は固体組成物からなるものとすることができる。脆弱密封６６を引き離して容器を開けると、芳香組成物を適切な消耗品に付加することができる。例えば、消耗品は、図１に示すようなティシュペーパーの積み重ね又は図３に示すような予め加湿した拭き材の積み重ねとすることができる。更に別の実施形態では、消耗品は、ペーパータオルのロール、トイレットペーパー、又はあらゆる他の適切な製品とすることができる。例えば、実施形態の１つでは、使用者が選択した香りを製品に与えるために、図５に示すような芳香送出装置６０をおむつ又は女性用ケア製品と組み合わせて用いることができる。
【００４９】
図６Ａ及び図６Ｂを参照すると、芳香送出装置と組み合わせた消耗品の更に別の実施形態が示される。図６Ａ及び図６Ｂに示す実施形態では、消耗品は、吸収性生理用パッドのような女性用衛生製品７０を含む。女性用衛生製品７０は、着用状態での身体側７２及び衣類側７４を含む。衣類側７４上には、複数の使用者選択可能な芳香要素を含む芳香送出装置７６が配置される。
【００５０】
例えば、図６Ａに示すように、芳香送出装置７６は、各々が剥離フィルム７８で覆われる芳香要素のストリップを含む。各芳香要素は、異なる香りを保有する。次に、製品の使用者は、フィルム７８を剥離することにより特定の香りを選択することができる。
【００５１】
図６Ａに示す実施形態では、芳香送出装置７６は、芳香要素のストリップとして示される。しかし、芳香要素は、製品上にあらゆる適切な方式で配列することができることを理解すべきである。例えば、実施形態の１つでは、複数の芳香要素を互いに組合わせ、製品の美観を向上させる１つ又はそれ以上の図案要素に組み入れることができる。
【００５２】
一方、図６Ｂに示す実施形態では、芳香送出装置は、複数のブリスターパック８０を含む。各ブリスターパック８０は、異なる香りを含む芳香組成物を収めることができる。芳香要素の１つを活性化するために、使用者はブリスターパックを押してフィルムカバー材料を破裂させ、これによって芳香組成物を露出させることができる。
【００５３】
実施形態の１つでは、芳香送出装置は、全て同じ香りを含む複数のブリスターパックを含むことができる。この実施形態では、制御された数のブリスターパックを破裂させることにより香りの強度を制御することができる。例えば、実施形態の１つでは、芳香送出装置は、全て同じ香りを含む３つのブリスターパックを含むことができる。消費者が強い香りを望む場合には、３つ全てのブリスターパックを破裂させることができる。しかし、弱い香りを望む場合には、単一のブリスターパックのみを破裂させることができる。
【００５４】
図６Ｃを参照すると、女性用衛生製品７０の更に別の実施形態が示される。同様の参照番号は、同様の要素を示すのに用いられている。図示するように、女性用衛生製品７０は、身体側７２を含む。図６Ａ及び図６Ｂに示す実施形態では、芳香送出装置は、物品の衣類側に配置されていた。しかし、図６Ｃでは、芳香送出装置７６は、物品７０の身体側７２に配置される。この実施形態では、芳香送出装置７６は、複数のブリスターパック８０を含む。上又は下に記載されるあらゆる適切な芳香送出装置を製品に組み入れることができることを理解されたい。
図１３を参照すると、芳香送出装置と組み合わせた消耗品の別の実施形態が示される。この実施形態では、消耗品は、おむつ１２０のような失禁用製品を含む。おむつ１２０は、背部１２２、股部分１２４、及び前部１２６を含む。股部分１２４に芳香送出装置１３０が配置される。
【００５５】
この実施形態では、芳香送出装置１３０は、複数の剥離可能な基層１３２、１３４、１３６及び１３８を含む。図示しないが、包装中に剥離可能基層１３２を覆って上部層を配置することができる。この実施形態では、剥離可能な基層の全てが芳香要素を含む。詳細には、剥離可能基層１３２、１３４、１３６及び１３８は全て、選択した芳香生成組成物を含み、選択した芳香を放つようにされる。このように、使用者は、使用者が望む香り又は芳香になるまで基層を剥離することができる。
【００５６】
各剥離可能な基層１３２、１３４、１３６及び１３８は、芳香生成組成物を受けることができるあらゆる適切な材料から構成することができる。例えば、基層は、紙、ポリマー材料、又は両方の組合せで作ることができる。例えば、実施形態の１つでは、基層は、片側に選択した芳香生成組成物と混合した接着剤材料をコーティングし、もう一方の側にワックス又はシリコーン組成物のような剥離材料をコーティングした紙を含むことができる。接着剤材料は、例えば、隣接する基層を剥離可能に保持するように構成された感圧接着剤を含むことができる。
【００５７】
上に記載したように、実施形態の１つでは、接着剤組成物は、芳香生成組成物と組み合わせることができる。芳香生成組成物は、上部層が基層から除去されたとき破裂するように構成される複数のマイクロカプセルを含むことができる。例えば、破裂可能なカプセルは、米国特許第４，１８６，７４３号に開示されており、これは、引用により本明細書に組み入れられる。芳香生成組成物は、例えば、芳香剤、香料、脱臭材料、及びその混合物を含むことができる。
【００５８】
図１３に示す実施形態では、芳香送出装置１３０は、おむつ１２０の股部分１２４に位置決めされる。しかし、芳香送出装置１３０は、あらゆる適切な位置に配置することができることを理解されたい。理解されるように、芳香送出装置１３０は、種々の他の製品及びそれに入れて製品が輸送又は配布される包装材に取り付けることもできる。
【００５９】
例えば、他の実施形態では、図１３に示す芳香送出装置１３０は、大人用失禁用製品、女性用衛生製品、トレーニングパンツ等に取り付けることができる。或いは、芳香送出装置１３０は、ティシュペーパーディスペンサ、トイレットペーパーディスペンサ、又は予め加湿した拭き材のディスペンサのような拭き材製品のディスペンサに取り付けることができる。
【００６０】
図１２Ａ、図１２Ｂ及び図１２Ｃを参照すると、芳香送出装置と組み合わせた消耗品の更に別の実施形態が示される。図１２Ａ、図１２Ｂ及び図１２Ｃでは、消耗品は、１枚ずつ取り出されるようにティシュペーパーを収容するディスペンサ１４０を含む。図１２Ａに示すように、ティシュペーパーディスペンサ１４０は、複数の図案要素１４２、１４４及び１４６を含む。例えば、この実施形態では、図案要素１４２はオレンジの絵を含み、図案要素１４４はレモンの絵を含み、図案要素１４６は桜の絵を含む。
【００６１】
図１２Ｂを参照すると、各図案要素１４２、１４４及び１４６は、芳香送出装置と作動可能に組み合わせられる。詳細には、この実施形態では、芳香送出装置は、紐状部材１４８、１５０及び１５２を含む。本開示事項によれば、紐状部材１４８、１５０及び１５２は各々、芳香生成組成物を含む。芳香生成組成物は、例えば、紐状部材にコーティングすることもでき、紐状部材に含浸することもできる。更に、紐状部材１４８、１５０及び１５２は、コーティング組成物１５４で封入される。コーティング組成物１５４は、紐状部材を封入し、芳香が放出しないようにする。しかし、紐状部材１４８、１５０及び１５２が引っ張られると、コーティング組成物は、紐状部材を露出させ選択した芳香を放出させるための破れ目を形成する。このようにして、使用者は、特定の芳香を放出するための特定の紐状部材を選択することができ、望ましい量の芳香を放出させるために紐状部材を望む長さだけ引っ張ることができる。
【００６２】
一般に、コーティング組成物は、紐状部材を引っ張ると芳香生成組成物を放出することができるあらゆる適切な脆弱材料を含むことができる。例えば、コーティング組成物１５４は、あらゆる適切な樹脂、ポリマー材料、又は接着剤材料で作ることができる。コーティング組成物１５４は、紐状部材を封入し、同時に紐状部材をディスペンサ１４０に接着する二重の目的で作用することができる。或いは、紐状部材は、コーティング組成物内に封入することができ、コーティング組成物をその後ディスペンサに接着することができる。
【００６３】
特定の実施形態の１つでは、コーティング組成物は、糖コーティング、デンプンコーティング、又は糖及びデンプンの混合物のような脆性材料を含む。
図１２Ｃに示すように、紐状部材は、長時間にわたって段階的に引っ張ることが意図されている。実施形態の１つでは、紐状部材は、紐状部材のディスペンサに占める空間の大きさを最小にし、ディスペンサ１４０の美観をも向上させるために螺旋配列にすることができる。
【００６４】
図１２Ｂに示すように、実施形態の１つでは、ティシュペーパーディスペンサ１４０の図案要素は、紐状部材と調和させることができる。例えば、紐状部材は、デザイン要素に組み入れることができる。例えば、紐状部材１４８は、図案要素１４２内でオレンジ色とすることができ、紐状部材１５０は、図案要素１４４内で黄色とすることができる。また、各紐状部材は、図案要素に一致する香気を放つことができる。例えば、紐状部材１４８はオレンジの香りを放つことができ、紐状部材１５０はレモンの香りを放つことができ、紐状部材１５２はチェリーの香りを放つことができる。
【００６５】
理解されるように、ディスペンサ上に見られる図案要素は、特定の用途及び望む結果に応じて劇的に変化させることができる。例えば、図に示すような異なる果物の代わりに、ディスペンサ１４０は、花及び種々の他の場面の絵を含むことができる。
【００６６】
図１２Ａ、図１２Ｂ及び図１２Ｃに示す実施形態では、紐状部材１４８、１５０及び１５２は、ティシュペーパーディスペンサ１４０の側部に接着されるように示される。しかし、紐状部材は、あらゆる適切な消耗品に、又は製品の包装材に取り付けることができることを理解されたい。例えば、他の実施形態では、紐状部材は、おむつ、プルアップ、女性用衛生製品、又は大人用失禁用製品のような失禁用製品に直接取り付けることができる。
【００６７】
本開示事項の更に別の実施形態では、芳香送出装置は、他の種類のパーソナル衛生製品と組み合わせて用いることができる。例えば、図８、図９及び図１０に示すように、芳香送出装置は、脱臭又は制汗性製品と組み合わせて用いることができる。例えば、図８を参照すると、脱臭又は制汗性製品８４が示されている。脱臭又は制汗性製品８４は、制汗性又は脱臭組成物８８を含むアプリケータ８６を含む。この実施形態では、脱臭又は制汗性組成物８８は、使用者により皮膚に移行されることが意図される固体材料である。例えば、組成物８８は、アルミニウムクロロハイドレートとすることができる。保存中に組成物８８を保護するために、脱臭又は制汗性製品８４は、キャップ９０を含む。
【００６８】
本開示事項によれば、脱臭又は制汗性製品８４は、更に、アプリケータ８６から除去することができる底部９２を含む。底部９２をアプリケータ８６から除去すると、脱臭又は制汗性組成物８８が露出されるようになる。図示するように、組成物８８内に少なくとも１つの空洞部分９４が形成される。
【００６９】
脱臭又は制汗性製品８４は、更に、この実施形態ではアプリケータ８６の側部に取り付けられた芳香送出装置９６を含む。この実施形態の芳香送出装置は、複数の芳香要素９８を含む。芳香要素９８は、液体芳香組成物を含む押し出し容器を含む。本開示事項によれば、使用者は、脱臭又は制汗性組成物８８を塗布するために芳香要素９８の１つを選択することができる。更に詳細には、各芳香要素９８は、異なる香りを含むことができる。したがって、使用者は、脱臭又は制汗性組成物８８を特定の香りとともに与えるために、芳香要素９８の１つを選択することができる。図示するように、芳香要素９８を一緒に絞り、容器を破裂させて芳香組成物が脱臭又は制汗性組成物８８の空洞部分９４に供給されるようにすることができる。
【００７０】
図９を参照すると、脱臭又は制汗性製品８４の別の実施形態が示される、同様の参照番号は、同じ又は同様の要素を示すのに用いられている。図示するように、脱臭又は制汗性製品８４は、脱臭又は制汗性組成物８８を含むアプリケータ８６を含む。
【００７１】
この実施形態では、脱臭又は制汗性製品８４は、脱臭又は制汗性組成物８８の露出部分を覆うことが意図される３つの異なるキャップ９０Ａ、９０Ｂ及び９０Ｃとともに販売することができる。各キャップは、脱臭又は制汗性組成物８８に香りを送出することが意図される対応する芳香要素９８Ａ、９８Ｂ及び９８Ｃを含むことができる。この実施形態では、芳香要素９８Ａ、９８Ｂ及び９８Ｃは、破裂可能容器内に含まれる固体材料又は液体材料を含むことができる。各芳香要素は、使用者が選択可能な異なる香りを保有することができる。詳細には、使用者は、異なるキャップ９０Ａ、９０Ｂ又は９０Ｃを選択することにより特定の香りとともに脱臭又は制汗性組成物８８を供給することができる。対応する芳香要素を含むキャップは、脱臭又は制汗性組成物に香りを送出するのに１回限り使用するように構成することもでき、脱臭又は制汗性組成物８８が消費者により消費されるときに組成物に継続的に香りを供給するように構成することもできる。
【００７２】
或いは、異なる芳香剤で満たされた２つ又はそれ以上のブリスターパックを備える１つのキャップを用いることができ、この場合、使用者は、ブリスターパックを破裂させて、キャップが固体制汗剤上に位置する間に（例えば１晩）、芳香剤がキャップから該固体制汗剤に拡散するようにすることができる。
【００７３】
図１０を参照すると、脱臭又は制汗性製品８４の更に別の実施形態が示される。再び、同様の参照番号は、同様の要素を示すのに用いられている。図示するように、脱臭又は制汗性製品８４は、脱臭又は制汗性組成物を含むアプリケータ８６を含む。この実施形態では、アプリケータ８６は、液体組成物を配布するための回転可能ボール８７を含む。
【００７４】
本開示事項によれば、脱臭又は制汗性製品８４は、複数の芳香要素９８を含む芳香送出装置９６を更に含む。芳香要素は、香りを付けた液体組成物を含む容器を備える。図１０に示すように、使用者は、アプリケータ８６に注入するために芳香要素９８の１つを選択することができる。このようにして、アプリケータに含まれる脱臭又は制汗性組成物に特定の香りを与えることができる。
【００７５】
２つ又はそれ以上の供給源からの芳香剤の液体と、送出される液体の相対的な量を制御するマイクロプロセッサとを組み合わせることができる機械的システムの例は、２００１年２月２０日にＮｅｒｕｓｈａｉらに付与された米国特許第６，１８９，８１０号の「液体香料製品をエーロゾルスプレーする方法」に記載されており、これは、引用により本明細書に組み入れる。Ｎｅｒｕｓｈａｉらの制御システムは、望むならば、スプレー以外の注入システムにも容易に適用可能であると考えられるが、本発明に含まれるいくつかの用途では、材料を製品又はその容器内又はその上にスプレーすることにより、カスタマイズされた芳香剤の送出を達成することもできる。複数の芳香剤供給源から１つ又はそれ以上の芳香剤を送出するための別のシステムは、２００２年１０月１５日にＹａｍａｄａに付与された米国特許第６，４６４，１１０号の「香料小出し器」に記載されており、これは、引用により本明細書に組み入れるが、これも本発明の目的に適合させることができる。
【００７６】
上に記載する実施形態では、複数の使用者選択可能な芳香要素を含む芳香送出装置は、ティシュ製品又はパーソナル衛生製品のような消耗品とともに包装される。本開示事項の更に別の実施形態では、消耗品の購入時に使用者が選択した香りを消耗品に供給することが意図されるように、芳香送出装置を設計することができる。
【００７７】
例えば、図１１を参照すると、購入時に香り又は芳香剤を製品に供給するのに用いることができる芳香送出装置１００の実施形態の１つが示される。芳香送出装置１００は、芳香インジェクタヘッド１０２を含む。芳香インジェクタヘッド１０２は、芳香送出装置１００に搭載された製品を認識するだけでなく、芳香組成物を製品に注入もするようにも構成することができる。例えば、図示するように、インジェクタヘッド１０２は、複数の芳香要素１０６と連絡するインジェクタ１０４を含む。
【００７８】
図１１に示す芳香送出装置１００を用いるためには、消費者は、最初に、ティシュペーパー１０８の箱のような消耗品を装置に装入することができる。実施形態の１つでは、芳香送出装置１００は、最初に製品を走査して製品を識別し、正しい製品が装置に装入されていること、及び製品が正しく装入されていることを確認することができる。物体のバーコードのような識別ラベルを走査することができるカメラ又は光電セルにより製品の識別を行うことができる。物体を識別するための他の手段としては、製品上又は製品内のＲＦＩＤタグから発せられる電子製品コードのような独自のシリアル記号又は他の識別子を読み取る無線認証リーダ（ＲＦＩＤリーダ）の利用がある。識別された製品が適所にあり、芳香剤付加に対して製品が適切であることが確認されれば、芳香要素又は芳香剤を製品に送出することができる。送出は、ランセット１０４により達成される注入によって行い、それによって、エーロゾルの高圧パルス空気の供給が包装材を透過するようにすることができる。
【００７９】
望むならば、芳香送出装置１００は、特定の芳香要素又は芳香剤を選択するための使用者操作型とすることができるコンピュータインタフェースを含むことができる。図１１に示すように、芳香送出装置１００は、芳香要素１０６のカルーセルを含むことができる。芳香送出装置１００は、使用者の入力に基づき、芳香要素の１つから組成物を注入するように構成することができる。更に、芳香送出装置１００は、更に別の香り又は芳香剤を生成するために異なる芳香要素を互いに組み合わせるように構成することができる。例えば、バニラ芳香剤をチェリー芳香剤と組み合わせて新しい芳香剤を生成することができる。芳香送出装置は、組成物のいくつかのバイアル又は４０又はそれ以上といった多くのバイアルを保持するように構成することができる。使用者が特定の芳香剤を選択すると、対応するバイアルが内部の適切な位置に位置決めされ、内容物が外部に送出されるようにすることができる。
【００８０】
実施形態の１つでは、使用者は、望ましい芳香剤を生成するための特定の配合を選択又は生成し、その後、その配合を芳香送出装置１００に組み合わされたデータベースに保存することができる。生成した配合は、使用者が望むならば他人と共有することができる。例えば、１つ又はそれ以上の配合は、データベース内で特定の使用者に付随するものとすることもでき、装置に挿入することができる磁気カード又はデータディスクのような使用者に付随する媒体に保存することもできる。使用者が購入すると、使用者は、データベースから、又は使用者に付随する機械読み取り可能な媒体から、保存された配合に容易にアクセスすることができ、使用者は、お気に入りのリストから望む芳香剤を選択するか新しい芳香剤を選択することが可能になる。
【００８１】
実施形態の１つでは、芳香送出装置１００は、消費者が製品に注入する前に予備調査するために特定の芳香剤を生成するように装備することもできる。
【００８２】
送出装置１００により製品に付加されるカスタマイズした芳香は、各種の方法で使用者が選択することができる。使用者は、ディスプレイ又は試験ストリップを集めたものから、各々ユーザインタフェースに入力することができるコードで識別される芳香を選択することができる。「３４９」といったコードが、例えば、特定の予め混合した香料を示すようにすることもでき、送出装置に付随する２つ又はそれ以上の原料を特定の割合で組み合わせてカスタマイズ芳香を生成することを示すこともできる。芳香送出装置から送出することができる望ましい芳香剤のためのコード又は配合は、使用者が手動で入力することもでき、予めデータベースに入力された使用者の好みに基づいて電子的に入力することもできる。例えば、特定の製品に対してどのカスタマイズされた香気を好むかを使用者が決定すると、ご愛顧カードを機械に通して読み取ることによるか、芳香送出装置に付随するＲＦＩＤスキャナにより読まれるユーザＩＤに付随するＲＦＩＤタグを読み取ることによるか、使用者を識別するあらゆる他の公知の手段により、この使用者を電子的に特定することができる。使用者が識別されると、リーダーのためのカスタマイズ芳香の好みをデータベースから読むことができる。或いは、芳香の好みは、ご愛顧カード、ＲＦＩＤタグ、ＰＤＡ、機械読み取り可能なカード又は紙ストリップ等から直接読むこともできる。使用者の芳香の好みは、付加する単一の芳香を特定することもでき、ＫＬＥＥＮＥＸ（登録商標）ティシュペーパーには芳香「６３２」、ＨＵＧＧＩＥＳ（登録商標）湿潤拭き材には芳香「３１０２」のような種々の好ましい芳香を種々の製品と連結するリストを含むこともできる。次に、製品に付随するバーコード又はＲＦＩＤタグを読み取ることにより、自動的に識別することができる送出装置、又は製品を識別するために使用者が入力することができる（例えば、製品識別子を話すか、グラフィカルユーザインタフェースの品目のメニューから製品の種類を選択するか、コード又は製品名をタイピングするか、製品カテゴリに特異的なボタンを押すか等による）送出装置に、選択した製品を入れることができる。製品に対して望ましい香気が特定されると、それを送出することができる。送出される量又は芳香強度は、使用者の好みに入力された値により決定することもでき、付加するときに使用者によりカスタマイズすることもできる（例えば、望ましい強度を特定するためのダイアル、ノブ、スライダー、コンピュータ入力手段等）。次に、望ましい芳香の付加量を送出し（例えば、製品を針で刺して芳香を付加することもでき、製品包装の壁に、又はそれを通してスプレーを用いることもできる）、製品を取り出す。
【００８３】
添付の請求項に更に特定的に記載される本発明の精神及び範囲から逸脱することなく、当業者は、本発明に対する上述及び他の変更及び変形を実施することができる。また、種々の実施形態の側面は、全体的又は部分的の何れでも互換性をもつことができることを理解すべきである。更に、前述の記載は例としてのみ挙げたものであり、添付の請求項に更に記載される本発明を制限することを意図しないことを当業者は認識するであろう。
【図面の簡単な説明】
【００８４】
【図１】本開示事項により作られた芳香送出装置と組み合わせた消耗品の実施形態の１つの斜視図である。
【図２】図１に示す芳香送出装置の部分切り欠き平面図である。
【図３】本開示事項による芳香送出装置と組み合わせた消耗品の別の実施形態の斜視図である。
【図４】図３に示す芳香送出装置の斜視図である。
【図５】本開示事項により用いることができる芳香送出装置の別の実施形態の斜視図である。
【図６Ａ】本開示事項による芳香送出装置と組み合わせた女性用衛生製品の実施形態の１つの斜視図である。
【図６Ｂ】本開示事項による芳香送出装置と組み合わせた女性用衛生製品の別の実施形態の斜視図である。
【図６Ｃ】本開示事項による芳香送出装置と組み合わせた女性用衛生製品の更に別の実施形態の平面図である。
【図７】本開示事項による芳香送出装置と組み合わせた消耗品の更に別の実施形態の斜視図である。
【図８】本開示事項により作られた制汗性又は脱臭製品の実施形態の１つの斜視図である。
【図９】本開示事項により作られた脱臭又は制汗性製品の別の実施形態の斜視図である。
【図１０】本開示事項により作られた脱臭又は制汗性製品の更に別の実施形態の斜視図である。
【図１１】製品の購入時に香りを消耗品に付加するのに用いることができる芳香送出装置の実施形態の１つの斜視図である。
【図１２Ａ】本開示事項により用いることができる芳香送出装置の更に別の実施形態の１つの斜視図である。
【図１２Ｂ】本開示事項により用いることができる芳香送出装置の更に別の実施形態の１つの斜視図である。
【図１２Ｃ】本開示事項により用いることができる芳香送出装置の更に別の実施形態の１つの斜視図である。
【図１３】本開示事項による芳香送出装置の別の実施形態を含むおむつの斜視図である。
【符号の説明】
【００８５】
１０  芳香送出装置
１２  消耗品
１４  ディスペンサ
１６  穿孔パネル
【図１】
2009521375.tif 000003
【図２】
2009521375.tif 000004
【図３】
2009521375.tif 000005
【図４】
2009521375.tif 000006
【図５】
2009521375.tif 000007
【図６Ａ】
2009521375.tif 000008
【図６Ｂ】
2009521375.tif 000009
【図６Ｃ】
2009521375.tif 000010
【図７】
2009521375.tif 000011
【図８】
2009521375.tif 000012
【図９】
2009521375.tif 000013
【図１０】
2009521375.tif 000014
【図１１】
2009521375.tif 000015
【図１２Ａ】
2009521375.tif 000016
【図１２Ｂ】
2009521375.tif 000017
【図１２Ｃ】
2009521375.tif 000018
【図１３】
2009521375.tif 000019
【国際調査報告】
2009521375.tif 000020
2009521375.tif 000021
2009521375.tif 000022
2009521375.tif 000023
2009521375.tif 000024